(57)【要約】【課題】  従来から使用されているペットボトルのキャップを利用することで、低コストで製造でき、さらに漏斗や尿瓶等に幅広く使用することができるペットボトルキャップを提供すること。【解決手段】  円形状の上面部と、上面部に連設された側面部と、側面部端部に形成された開口部と、前記側面部の内周に形成された羅着部とからなるペットボトルのキャップにおいて、キャップの上面部に開孔部を穿孔させた第一キャップと、キャップの上面部に開孔部を穿孔させた第二キャップとを、上面部同士を開孔部が貫通する状態で結合したことを特徴とする。  また、第一キャップの開口部に第一ペットボトルを羅着させるとともに、第二キャップの開口部に第二ペットボトルを羅着させた。  また前記第二ペットボトルは、底部に開口を有する漏斗形状に、または底部に傾斜状開口を有する尿瓶形状に形成されている。【選択図】図１
2015231866.tif 000002
【特許請求の範囲】
【請求項１】
円形状の上面部と、上面部に連設された側面部と、側面部端部に形成された開口部と、前記側面部の内周に形成された羅着部とからなるペットボトルのキャップにおいて、キャップの上面部に開孔部を穿孔させた第一キャップと、キャップの上面部に開孔部を穿孔させた第二キャップとを、上面部同士を開孔部が貫通する状態で結合したことを特徴とするペットボトルキャップ。
【請求項２】
前記第一キャップの開口部に第一ペットボトルを羅着させるとともに、第二キャップの開口部に第二ペットボトルを羅着させたことを特徴とする請求項１記載のペットボトルキャップ。
【請求項３】
前記第二ペットボトルは、底部に開口を有する漏斗形状に形成されたペットボトルである請求項２記載のペットボトルキャップ。
【請求項４】
前記第二ペットボトルは、底部に傾斜状開口を有する尿瓶形状に形成されたペットボトルである請求項２記載のペットボトルキャップ。
【発明の詳細な説明】
【技術分野】
【０００１】  本発明は、ペットボトルの空き容器を、漏斗や尿瓶として使用することができるペットボトルキャップに関する。
【背景技術】
【０００２】  飲料水を収容させたペットボトルは、衛生面や携帯性、また製造コスト面等の高い利便性から幅広く利用されている。通常、飲料水を飲み終えた空きペットボトル容器は、蓋と容器を分別してリサイクルゴミとして処分されている。
【先行技術文献】
【特許文献】
【０００３】  またペットボトルに関連する従来技術として、ペットボトル口部への装着が極めて容易であり、ペットボトル内への水の補給も簡単に行うことができるじょうろ用キャップがある（例えば特許文献１参照）。
上掲特許文献１のじょうろ用キャップは、ペットボトルの口部内に挿入する挿入口と、口部の先端で広がる排出口とを有する筒体を形成し、この筒体の排出口に着脱自在に装着するキャップ体を備え、キャップ体に小径の排出孔を多数開穿すると共に、筒体の挿入口外側面に空気取入口を設けたことを特徴とするものである。
【特許文献１】  登録実用新案第３０７０９９６号公報
【発明の概要】
【発明が解決しようとする課題】
【０００４】  しかしながら、上掲特許文献１のじょうろ用キャップは、筒体、キャップ体、連結具、また排出口からなり、製造コストのアップに繋がるという問題が生じた。また、使用目的もじょうろに限定され、他の用途での使用はできないという欠点もあった。【０００５】  そこで本発明は上記の点に鑑み、従来から使用されているペットボトルのキャップを利用することで、低コストで製造でき、さらに漏斗や尿瓶等に幅広く使用することができるペットボトルキャップを提供することにある。
【解決を解決するための手段】
【０００６】  上記課題を解決するため、円形状の上面部と、上面部に連設された側面部と、側面部端部に形成された開口部と、前記側面部の内周に形成された羅着部とからなるペットボトルのキャップにおいて、キャップの上面部に開孔部を穿孔させた第一キャップと、キャップの上面部に開孔部を穿孔させた第二キャップとを、上面部同士を開孔部が貫通する状態で結合したことを特徴とする。
【０００７】  また、前記第一キャップの開口部に第一ペットボトルを羅着させるとともに、第二キャップの開口部に第二ペットボトルを羅着させた。
【０００８】  また前記第二ペットボトルは、底部に開口を有する漏斗形状に形成されている。
【０００９】  さらに前記第二ペットボトルは、底部に傾斜状開口を有する尿瓶形状に形成されている。
【発明の効果】
【００１０】  キャップの上面部に開孔部を穿孔させた第一キャップと第二キャップとを、上面部同士を開孔部が貫通する状態で結合したことにより、通常、廃棄処分されるペットボトルのキャップが再利用でき、製造工程や材料コストの削減が実現できる。
【００１１】  また第二ペットボトルの底部開口を漏斗形状にすることで、容易に汎用の漏斗を製造することができる。また、市販のペットボトルとキャップが使用されているため、連結部の水漏れの発生が軽減できる。
【００１２】  また第二ペットボトルの底部開口を尿瓶形状にすることで、容易に汎用の尿瓶を製造することができる。そのため、ドライブ中や移動の際、尿意を催した場合でも、手軽に排尿することができる。また排尿後は、第一ペットボトルにキャップを装着することで、衛生的に管理することも可能となる。さらに市販のペットボトルとキャップが使用されているため、連結部の尿漏れの発生が軽減できる。
【図面の簡単な説明】
【００１３】
【図１】本発明のペットボトルキャップの分解斜視図である。
【図２】本発明のペットボトルキャップの全体斜視図である。
【図３】ペットボトルキャップの連結状態の断面図である。
【図４】漏斗形状に形成され第二ペットボトルの使用状態である。
【図５】尿瓶形状に形成され第二ペットボトルの使用状態である。
【発明を実施するための形態】
【００１４】  以下、本発明のペットボトルキャップにおける実施の形態を図面に基づいて説明する。
本発明のペットボトルキャップは、従来から使用されているペットボトルのキャップを利用することで、低コストで製造でき、さらに漏斗や尿瓶等に幅広く使用できることを特徴とする。
【００１５】  図１乃至図３に示すペットボトルキャップ１は、市販のペットボトルに装着されているキャップが使用され、前記第一キャップ１０と第二キャップ１０´とを連結することにより形成される。
【００１６】  前記第一キャップ１０は、円形状の上面部１１と、上面部１１に連設された側面部１２と、側面部１２の端部に形成された開口部１３と、前記側面部１３の内周に形成された羅着部１４とからなる。
【００１７】  前記第一キャップ１０´は、円形状の上面部１１´と、上面部１１´に連設された側面部１２´と、側面部１２´の端部に形成された開口部１３´と、前記側面部１３´の内周に形成された羅着部１４´とからなる。
【００１８】  また、前記第一キャップ１０の上面部１１には開孔部２が穿孔されている。開孔部２は上面部１１の略中央に穿孔されており、前記第一キャップ１０を第一ペットボトル２０に装着した際、ペットボトル内に収容されている液体、粉体、粒体を外部に排出、もしくは外部からの液体を給入させることができる大きさに形成されている。
【００１９】  また、前記第二キャップ１０´の上面部１１´には開孔部２´が穿孔されている。開孔武２´は上面部１１´の略中央に穿孔されており、前記第二キャップ１０´を第二ペットボトル２０´に装着した際、ペットボトル内に収容されている液体、粉体、粒体を外部に排出、もしくは外部からの液体を給入させることができる大きさに形成されている。
【００２０】  また前記第一キャップ１０と前記第二キャップ１０´とは、図３に示すように、上面部１１，１１´同士が開孔部２，２´が貫通する状態で結合されている。前記第一キャップ１０と前記第二キャップ１０´の結合方法としては、接着剤を用いたり、一体成型で結合したりする方法が挙げられる。
【００２１】  また、前記開口部１３に第一ペットボトル２０を、開口部１３´に第二ペットボトル２０´を羅着させることにより、第一ペットボトル２０内の液体、粉体、粒体等を、第二ペットボトル２０´内へ移行させることができる。なおこの際、それぞれのペットボトルとキャップは好適に羅着されるため、羅着部分から収容物が漏れる虞が少ない。
【００２２】  また他の好適例として、図４に示すように、前記第二ペットボトル２０´を、底部２１´に開口２２´を有する漏斗形状に形成することができる。前記第二ペットボトル２０´の底部２１´に開口２２´を形成することにより、第一ペットボトル２０内へ液体等を容易に収容せることができる。
【００２３】  前記開口２２´は第一ペットボトル２０´の適宜箇所をカッターや熱処理で切り離すことで容易に漏斗形状に形成することができる。なお、前記第二ペットボトル２０´から第一ペットボトル２０内へ液体等を移行させた後、第一ペットボトル２０の開口部１３に汎用のキャップを装着する。
【００２４】  また他の好適例として、図５に示すように、前記第二ペットボトル２０´を、底部２１´に開口２２´を有する尿瓶形状に形成することができる。前記開口２２´は、第二ペットボトル２０´の適宜箇所をカッターや熱処理で傾斜状に切り離すことで容易に尿瓶形状に形成することができる。なおこの際、切断部分を滑らかするために熱処理等を施すことが好ましい。さらには、切断部分にゴム等の弾性部材を装着してもよい。
【００２５】  前記第二ペットボトル２０´の底部２１´の開口２２´を尿瓶形状に形成することにより、ドライブ中や移動の際、尿意を催した場合でも、手軽に排尿することができる。
【００２６】  また排尿後は、第一ペットボトル２０にキャップを装着することで、衛生的に管理することが可能となる。また、市販のペットボトルとキャップが使用されているため、連結部の尿漏れの発生が軽減できる。
【００２７】  第一ペットボトル２０内に収容された尿は、ドライブインのトイレで廃棄した後、第一ペットボトル２０を洗浄して廃棄処分する。また第一ペットボトル２０を洗浄することで繰り返し使用することも可能となる。
【００２８】  上述の如く、本発明のペットボトルキャップは、従来から使用されているペットボトルのキャップに加工を施すことにより低コストで製造できるとともに、資源の再利用が実現できる。また、市販のペットボトルとキャップからなるため、着脱が容易であり、且つ羅着部分からの水漏れも軽減できる。
【符号の説明】
【００２９】１      ペットボトルキャップ
２      開孔部
２´    開孔部
１０    第一キャップ
１０´  第二キャップ
１１    上面部
１１´  上面部
１２    側面部
１２´  側面部
１３    開口部
１３´  開口部
１４    羅着部
１４´  羅着部
２０    第一ペットボトル
２０´  第二ペットボトル
２１´  底部
２２´  開口部
【図１】
2015231866.tif 000003
【図２】
2015231866.tif 000004
【図３】
2015231866.tif 000005
【図４】
2015231866.tif 000006
【図５】
2015231866.tif 000007